(57)【特許請求の範囲】
【請求項１】
先端から基端にかけて外径が漸増し、先端からの距離を示す目盛りが設けられた真っ直ぐな丸棒状本体と、その本体の前記基端に回転機械に結合するための取付部とを有するＮ値測定工具を、前記取付部において結合した前記回転機械により前記先端をアンカを埋設しようとする地盤に向けて所定押圧力を付加しながら回転して所定深さに押入されるまでの回転数を基に当該地盤のＮ値を測定し、その測定したＮ値に基づいてアンカの種類を選択し、その選択したアンカを当該地盤に回転機械により回転圧入して埋設することを特徴とするアンカ埋設方法において、
測定されたＮ値が地盤の硬さの程度の中の普通土質ないし硬質土質を表す基準値範囲内である場合は、螺旋状掘削刃の外径がアンカ毎に段階的に小さくなる複数のアンカのうち、Ｎ値が大きくなるに従い螺旋状掘削刃の外径が小さいものを選択して、直接その地盤に回転機械により回転圧入して埋設することを特徴とするアンカ埋設方法。
【請求項２】
Ｎ値測定工具を地盤に向けて押圧しながら回転する回転機械及びアンカを地盤に向けて回転圧入するための回転機械は、いずれも穴掘建柱車の回転機械であることを特徴とする請求項１に記載のアンカ埋設方法。
【請求項３】
先端から基端にかけて外径が漸増し、先端からの距離を示す目盛りが設けられた真っ直ぐな丸棒状本体と、その本体の前記基端に回転機械に結合するための取付部とを有するＮ値測定工具を、前記取付部において結合した前記回転機械により前記先端をアンカを埋設しようとする地盤に向けて所定押圧力を付加しながら回転して所定深さに押入されるまでの回転数を基に当該地盤のＮ値を測定し、
測定されたＮ値が地盤の硬さの程度の中の普通土質ないし硬質土質を表す第１基準値範囲内である場合は、螺旋状掘削刃の外径がアンカ毎に段階的に小さくなる複数のアンカのうち、Ｎ値が大きくなるに従い螺旋状掘削刃の外径が小さいものを選択して、直接その地盤に回転機械により回転圧入して埋設し、
測定されたＮ値が軟岩盤土質を表す第２基準値範囲内である場合は、下穴用ドリルで下穴を開けた後、その下穴に外径がその下穴の径よりも僅かに大きい螺旋状掘削刃を有するアンカを回転機械により回転圧入して埋設し、
測定されたＮ値が岩盤土質を表す第３基準値範囲内である場合は、下穴用超硬チップで下穴を開けた後、その下穴に外径がその下穴の径よりも僅かに大きい螺旋状掘削刃を有するアンカを回転機械により回転圧入して埋設することを特徴とするアンカ埋設方法。
【請求項４】
Ｎ値測定工具を地盤に向けて押圧しながら回転する回転機械、下穴用ドリルを地盤に向けて押圧しながら回転する回転機械、又は下穴用超硬チップを地盤に向けて押圧しながら回転する回転機械及びアンカを地盤に向けて回転圧入するための回転機械は、いずれも穴掘建柱車の回転機械であることを特徴とする請求項３に記載のアンカ埋設方法。
【発明の詳細な説明】
【０００１】
【発明の属する技術分野】
本発明は、軟硬各種の地盤にアンカを埋設する方法に関する。
【０００２】
【従来の技術】
本出願人は、先に特開２０００−１８５０号、同２００１−５９２２１号、同２００１−１８２０５８号等において、電柱や建築構造物等の構造物を支える支線用の地中アンカ（本発明のアンカに相当している。）を提案した。
【０００３】
この地中アンカは、棒状体の先端部にドリルが形成されているとともに、そのドリルに隣接して螺旋状の掘削刃が設けられている。この地中アンカは、埋設される地盤の硬さの程度に合わせて掘削刃の外径が異なる複数種類が用意されている。そして、この地中アンカは、穴掘建柱車に備えられている回転機械により回転させ、容易に埋設することができるという特長を有している。
【０００４】
【発明が解決しようとする課題】
しかしながら、上記提案に係るアンカは、アンカが埋設される地盤の性質に合わせてアンカの種類が選択されるが、その選択は作業員の経験に基づいて行われていたので、選択されたアンカの種類が当該地盤の土質（硬さ）に的確に適合せず、回転機械による回転圧入が容易でない場合や埋設後の支持力が不足する場合などが懸念されるため、普遍的な基準に基づいて選択できるようにすることが望まれていた。
【０００５】
本発明は、上記要望に応えるためになされたものであって、その目的は、アンカを埋設しようとする地盤の硬さに適合するアンカの種類を正しく選択し、容易に埋設することができ、かつ確実な支持力が得られるアンカ埋設方法を提供することにある。
【０００６】
【課題を解決するための手段】
本発明の請求項１に係るアンカ埋設方法は、上記目的を達成するために、下記の（Ａ）（Ｂ）（Ｃ）を特徴とする。
（Ａ）Ｎ値測定工具を用いてアンカを埋設しようとする地盤のＮ値を測定する。Ｎ値測定工具は、先端から基端にかけて外径が漸増し、先端からの距離を示す目盛りが設けられた真っ直ぐな丸棒状本体と、その本体の前記基端に回転機械に結合するための取付部とを有するものである。
（Ｂ）測定方法は、前記Ｎ値測定工具の取付部を前記回転機械に結合し、本体の先端を地盤に向けて所定押圧力を付加しながら回転して所定深さに押入されるまでの回転数を基に当該地盤のＮ値を測定する。
（Ｃ）測定されたＮ値が地盤の硬さの程度の中の普通土質ないし硬質土質を表す基準値範囲内である場合は、螺旋状掘削刃の外径がアンカ毎に段階的に小さくなる複数のアンカのうち、Ｎ値が大きくなるに従い螺旋状掘削刃の外径が小さいものを選択して、直接その地盤に回転機械により回転圧入して埋設する。
【０００７】
本発明の請求項２に係るアンカ埋設方法は、請求項１の発明におけるＮ値測定工具を地盤に向けて押圧しながら回転する回転機械及びアンカを地盤に向けて回転圧入するための回転機械は、いずれも穴掘建柱車の回転機械であることを特徴としている。
【０００８】
本発明の請求項３に係るアンカ埋設方法は、上記（Ａ）（Ｂ）により測定されたＮ値が、
（Ｃ１）地盤の硬さの程度の中の普通土質ないし硬質土質を表す第１基準値範囲内である場合は、螺旋状掘削刃の外径がアンカ毎に段階的に小さくなる複数のアンカのうち、Ｎ値が大きくなるに従い螺旋状掘削刃の外径が小さいものを選択して、直接その地盤に回転機械により回転圧入して埋設し、
（Ｃ２）軟岩盤土質を表す第２基準値範囲内である場合は、下穴用ドリルで下穴を開けた後、その下穴に外径がその下穴の径よりも僅かに大きい螺旋状掘削刃を有するアンカを回転機械により回転圧入して埋設し、
（Ｃ３）岩盤土質を表す第３基準値範囲内である場合は、下穴用超硬チップで下穴を開けた後、その下穴に外径がその下穴の径よりも僅かに大きい螺旋状掘削刃を有するアンカを回転機械により回転圧入して埋設することを特徴としている。
【０００９】
本発明の請求項４に係るアンカ埋設方法は、請求項３の発明におけるＮ値測定工具を地盤に向けて押圧しながら回転する回転機械、下穴用ドリルを地盤に向けて押圧しながら回転する回転機械、又は下穴用超硬チップを地盤に向けて押圧しながら回転する回転機械及びアンカを地盤に向けて回転圧入するための回転機械は、いずれも穴掘建柱車の回転機械であることを特徴としている。
【００１０】
【発明の実施の形態】
以下、本発明の実施の形態を図面に基づいて説明する。図１は、一実施の形態に係るアンカ埋設方法を実施するためのフローシートである。
【００１１】
図中、ａは、本出願人が、先に、特願２００２−２３８７６号で提案したＮ値測定工具であり、本体１と取付部２とを一体に有する。本体１は先端が細く、その細い先端から基端にかけて外径が漸増する真っ直ぐな丸棒状に形成され、先端からの距離を示す目盛りｍ，ｍ…が所定の間隔をもって設けられている。取付部２は本体１の基端に設けられ、回転機械に着脱自在に装着可能である。
【００１２】
一般に、Ｎ値とは、ＪＩＳＡ１２１９に示されるように、外径５．１ｃｍ、内径３．５ｃｍ、長さ８１．０ｃｍの中空の測定具（サンプラー）を地中へ打ち込む際に生ずる地盤の抵抗を表し、質量６３．５ｋｇ（約６２２．３Ｎ）のハンマーを７５ｃｍの高さから上記測定具に自由落下させて打撃を加え、その測定具を３０ｃｍ打ち込むのに必要な打撃数Ｎから求められる。
【００１３】
上記Ｎ値測定工具ａを用いて地盤のＮ値を測定するには、先ず、図示しない穴掘建柱車の回転機械（通称、オーガ）の先端にＮ値測定工具ａの取付部２が取付けられる。そして、本体１の先端を地盤の測定位置に合わせるとともに、その本体１をほぼ垂直状にして、回転機械により所定の押圧力、例えば８００ｋｇｆ（約７８４０Ｎ）を付加しながら回転させ、所定の深さ（例えば５０ｃｍ）に挿入できるまでに要した回転数が求められ、その回転数を基にＮ値が求められる。
【００１４】
さらに詳しく説明すると、本体１が５０φの丸棒からなるときで、その本体１が５０ｃｍ挿入するまでの回転数が約４回の場合は、Ｎ値は約１０と推定され、その回転数が約１０回の場合は、Ｎ値は約２５と推定される。また、本体１が所定の回転数、例えば、１０回転で何ｃｍ挿入したかによりＮ値を推定することもできる。例えば、１０回転で約３８ｃｍ挿入したときのＮ値は約３０と推定され、さらに、１０回転で約２８ｃｍ挿入したときのＮ値は、約４０と推定される。上記Ｎ値測定工具ａの回転数に基づくＮ値の推定は、予め一定の関係式の演算により求められた換算表に基づいて行われる。上述のＮ値測定後は、回転機械からＮ値測定工具ａが外され、測定されたＮ値により後述する地中アンカや必要な下穴用工具が選択されてその回転機械に装着され、地中アンカの埋設作業が行われる。
【００１５】
下穴用工具には、下穴用ドリルｂと下穴用超硬チップｃがある。下穴用ドリルｂは、鋼製の丸棒の外周にねじれ溝を掘った周知のドリルと同様のドリル部１０と、上記Ｎ値測定工具ａの取付部２と同形状の取付部１１とから構成されていて、この下穴用ドリルｂも、上記Ｎ値測定工具ａと同様に、図示しない穴掘建柱車の回転機械に取付部１１を介して着脱自在に取付けられる。
【００１６】
下穴用超硬チップｃは、本出願人が、先に、特願２００２−１８４２０号で提案したものである。この下穴用超硬チップｃは、所定の長さを有する鋼製の棒状体２０の一端部に、回転機械に着脱自在に装着される上記Ｎ値測定工具ａ及び下穴用ドリルｂの取付部２，１１と同形状の取付部２１を設けるとともに、その棒状体２０の他端部を鋭角に形成し、その鋭角に形成された箇所、及び取付部２１の下側に超硬チップ２０ａ，２２ｂを設けて構成されている。この下穴用超硬チップｃも、上記Ｎ値測定工具ａ及び下穴用ドリルｂと同様に、穴掘建柱車の回転機械に取付部２１を介して着脱自在に取付けられる。
【００１７】
図中、ｄ1 〜ｄ4 は、本出願人が特開２０００−１８５０号等で提案している地中アンカであり、共に、鋼製の棒状体３０の基端部に上記Ｎ値測定工具ａ、下穴用ドリルｂ、下穴用超硬チップｃの取付部２，１１，２１と同形状の取付部３１を有し、棒状体３０の先端部にドリル部３２を有している。各地中アンカｄ1 〜ｄ4 は、先端部側（ドリル部３２よりも基端部側）に螺旋状の掘削刃３３ａ〜３３ｄをそれぞれ有している。これら掘削刃３３ａ〜３３ｄは、間欠的に、すなわち、棒状体３０の長手方向に所定の間隔をもって複数個（図示の例では４個）設けられ、それらの螺旋状掘削刃は、基端部側（取付部３１側）に行くに従って外径が大きくなるように形成されている。
【００１８】
図示の例では、これら地中アンカｄ1 〜ｄ4 のうち、地中アンカｄ1 の最も大きい掘削刃３３ａの直径は１４０φであり、地中アンカｄ2 のそれは２００φであり、地中アンカｄ3 のそれは２８０φであり、地中アンカｄ4 のそれは３５０φである。
【００１９】
上記Ｎ値測定工具ａ、下穴用ドリルｂ、下穴用超硬チップｃ及び地中アンカｄ1 〜ｄ4 を用いて行われる地中アンカの埋設は、先ず、Ｎ値測定工具ａを用いて上述した方法により地中アンカの設置場所のＮ値測定が行われる。
（ａ）測定結果であるＮ値が、４以上２００未満である場合、すなわち、例えば、土質が普通土地や土盛した土地等の普通土質から砂礫地、膠着した砂利や粗砂、あるいは硬い粘土等の硬質土質までを表す第１基準範囲内である場合は、下穴用ドリルｂ又は下穴用超硬チップｃを用いることなく、直接、地中アンカｄ1 〜ｄ4 のいずれかが選択されて埋設される。より詳しくは、Ｎ値が４以上１０未満であれば地中アンカｄ4 が選択され、Ｎ値が１０以上２０未満であれば地中アンカｄ3 が選択され、Ｎ値が２０以上３０未満であれば地中アンカｄ2 が選択され、Ｎ値が３０以上２００未満であれば地中アンカｄ1 がそれぞれ選択される。すなわち、螺旋状掘削刃の外径がアンカ毎に段階的に小さくなる複数のアンカのうち、Ｎ値が大きくなるに連れて螺旋状掘削刃の外径が小さい地中アンカが選択される。選択された地中アンカは、上述したように、穴掘建柱車の回転機械に装着されて回転圧入して埋設される。
【００２０】
（ｂ）Ｎ値が、２００以上３５０未満の場合、すなわち、例えば、土質が軟岩盤等の土質であることを表す第２基準値範囲内である場合は、地中アンカｄ1 の埋設に先立って下穴用ドリルｂで下穴が開けられる。そして、その下穴に適合する地中アンカｄ1 、すなわち、その下穴の径よりも僅かに大きい外径の掘削刃を有するアンカが埋設される。
（ｃ）また、Ｎ値が３５０以上の、例えばせん緑石等の土質（岩盤）を表す第３基準値範囲内の場合は、地中アンカｄ1 の埋設に先立って下穴用超硬チップｃで下穴が開けられる。そして、その下穴に同じく地中アンカｄ1 が埋設される。
【００２１】
上述のように、地中アンカが埋設される地盤の性質をＮ値で客観的に判定できるので、所定の支線力を得るための地中アンカの種類を的確に選択することができる特長がある。また、Ｎ値が所定値以上の硬質の地盤には、下穴用ドリルｂ又は下穴用超硬チップｃで予め下穴を開け、その下穴に地中アンカを埋設するようにしたので、地中アンカの埋設が容易になる特長がある。特に、Ｎ値測定工具ａの回転押入、下穴用ドリルｂ又は下穴用超硬チップｃの回転押入、及び地中アンカの回転押入のいずれも同じ回転機械により行うので、最少限の機器を用意するだけで済み、また、回転機械に対する取付け・取り外しを全て同じ要領で行うことができるから作業能率が著しく向上する。さらに、回転機械として穴掘建柱車の回転機械を用いる場合は、穴掘建柱車を建柱作業から支線作業まで一貫して使用できるので、作業効率が飛躍的に高くなる。
【００２２】
なお、上述の例では、地中アンカは４種類としたが、３種類以下、あるいは５種類以上とすることもできる。
【００２３】
【発明の効果】
請求項１の発明によれば、第１の効果として、先端から基端にかけて外径が漸増し、先端からの距離を示す目盛りが設けられた真っ直ぐな丸棒状本体と、その本体の前記基端に回転機械に結合するための取付部とを有するＮ値測定工具を、前記取付部において結合した前記回転機械により前記先端をアンカを埋設しようとする地盤に向けて所定押圧力を付加しながら回転して所定深さに押入されるまでの回転数を基に当該地盤のＮ値を測定するので、簡単な構成のＮ値測定工具と既存の回転機械を用いてＮ値測定が可能である。第２の効果として、その測定したＮ値に基づいてアンカの種類を選択し、その選択したアンカを当該地盤に回転機械により回転圧入して埋設するから、アンカを埋設しようとする地盤の硬さに適合するアンカの種類を正しく選択すること、及び容易に埋設することができ、確実な支持力が得られる。また、測定されたＮ値が地盤の硬さの程度の中の普通土質ないし硬質土質を表す基準値範囲内である場合は、螺旋状掘削刃の外径がアンカ毎に段階的に小さくなる複数のアンカのうち、Ｎ値が大きくなるに従い螺旋状掘削刃の外径が小さいものを選択して、直接その地盤に回転機械により回転圧入して埋設するので、アンカを埋設しようとする地盤の硬さに適合するアンカの種類を正しく選択し、容易に埋設することができ、かつ確実な支持力が得られる。
【００２４】
請求項２の発明によれば、Ｎ値測定工具を地盤に向けて押圧しながら回転する回転機械及びアンカを地盤に向けて回転圧入して埋設するための回転機械として穴掘建柱車の回転機械を用いるので、穴掘建柱車を建柱作業から支線作業まで一貫して使用できるため、作業効率が飛躍的に高くなる。
【００２５】
請求項３の発明によれば、第１の効果として、先端から基端にかけて外径が漸増し、先端からの距離を示す目盛りが設けられた真っ直ぐな丸棒状本体と、その本体の前記基端に回転機械に結合するための取付部とを有するＮ値測定工具を、前記取付部において結合した前記回転機械により前記先端をアンカを埋設しようとする地盤に向けて所定押圧力を付加しながら回転して所定深さに押入されるまでの回転数を基に当該地盤のＮ値を測定するので、簡単な構成のＮ値測定工具と既存の回転機械を用いてＮ値測定が可能である。
また、第２の効果として、測定されたＮ値が地盤の硬さの程度の中の普通土質ないし硬質土質を表す第１基準値範囲内である場合は、螺旋状掘削刃の外径がアンカ毎に段階的に小さくなる複数のアンカのうち、Ｎ値が大きくなるに従い螺旋状掘削刃の外径が小さいものを選択して、直接その地盤に回転機械により回転圧入して埋設し、測定されたＮ値が軟岩盤土質を表す第２基準値範囲内である場合は、下穴用ドリルで下穴を開けた後、その下穴に外径がその下穴の径よりも僅かに大きい螺旋状掘削刃を有するアンカを回転機械により回転圧入して埋設し、測定されたＮ値が岩盤土質を表す第３基準値範囲内である場合は、下穴用超硬チップで下穴を開けた後、その下穴に外径がその下穴の径よりも僅かに大きい螺旋状掘削刃を有するアンカを回転機械により回転圧入して埋設するので、アンカを埋設しようとする地盤の硬さに適合するアンカの種類を正しく選択し、容易に埋設することができ、かつ確実な支持力が得られる。
【００２６】
請求項４の発明によれば、Ｎ値測定工具を地盤に向けて押圧しながら回転する回転機械、下穴用ドリルを地盤に向けて押圧しながらを回転する回転機械又は下穴用超硬チップを地盤に向けて押圧しながら回転する回転機械及びアンカを地盤に向けて回転圧入して埋設するための回転機械として穴掘建柱車の回転機械を用いるので、穴掘建柱車を建柱作業から支線作業まで一貫して使用できるため、作業効率が飛躍的に高くなる。
【図面の簡単な説明】
【図１】  本発明のアンカ埋設方法を実施するためのフローシートである。
【符号の説明】
ａ  Ｎ値測定工具
ｂ  下穴用ドリル
ｃ  下穴用超硬チップ
ｄ1 〜ｄ4   地中アンカ（アンカ）
【図１】
0003967933.tif 000002